(57)【要約】【課題】  外壁面材の軽量化の要請に充分応えることができ、しかも、透湿防水シートによる２次止水も不要となし得る目地構造およびその施工方法を提供する。【解決手段】  下側外壁面材１と上側外壁面材２との隙間における目地構造Ｋであって、１次止水部材１０と２次止水部材２０とを備え、１次止水部材１０は、上側外壁面材下端２ａに装着される装着部１１と、下側外壁面材上端１ａに当接して止水をなす止水片１４を有する止水本体１２とを備え、２次止水部材２０は、下側外壁面材１と下側パネルフレーム４との間に装着される装着部２１と、下側外壁面材上端１ａに載置される支持片２２と、上側外壁面材背面２ｂと当接して止水をなす止水片２６を有する止水本体２４とを備えてなるのである。【選択図】  図１
2006233461.tif 000002
【特許請求の範囲】
【請求項１】
下側外壁面材と上側外壁面材との隙間における目地構造であって、１次止水部材と２次止水部材とを備え、
前記１次止水部材は、上側外壁面材下端に装着される装着部と、下側外壁面材上端に当接して止水をなす止水片を有する止水本体とを備え、
前記２次止水部材は、下側外壁面材と下側パネルフレームとの間に装着される装着部と、下側外壁面材上端に載置される支持片と、上側外壁面材背面と当接して止水をなす止水片を有する止水本体とを備えてなる
ことを特長とする目地構造。
【請求項２】
２次止水部材の止水本体は、装着部から起立状に設けられた基片と、該基片の先端部から一体的に湾曲形成された止水片とを有し、前記止水片先端と、前記基片との間に隙間が設けられてなることを特徴とする請求項１記載の目地構造。
【請求項３】
上側外壁面材が下端に１次止水部材を装着する装着部材を備え、該装着部材が２次止水部材の止水本体と協働して止水をなす止水片を有してなることを特徴とする請求項１記載の目地構造。
【請求項４】
１次止水部材の上側外壁面材下端と接触する箇所がシール剤によりシールされてなることを特徴とする請求項１記載の目地構造。
【請求項５】
２次止水部材の下側外壁面材上端と接触する箇所がシール剤によりシールされてなることを特徴とする請求項１記載の目地構造。
【請求項６】
１次止水部材と２次止水部材とを備えてなる目地構造の施工方法であって、
前記１次止水部材を上側外壁面材下端に装着する手順と、
前記２次止水部材を下側外壁面材上端と下側パネルフレームとの隙間に装着する手順と、
前記１次止水部材が装着された上側外壁面材を取り付ける手順
とを含んでいることを特徴とする目地構造の施工方法。
【請求項７】
１次止水部材の上側外壁面材下端と接触する箇所をシール剤によりシールする手順が付加されていることを特徴とする請求項６記載の目地構造の施工方法。
【請求項８】
２次止水部材の下側外壁面材上端と接触する箇所をシール剤によりシールする手順が付加されていることを特徴とする請求項６記載の目地構造の施工方法。
【発明の詳細な説明】
【技術分野】
【０００１】
本発明は目地構造およびその施工方法に関する。さらに詳しくは、厚みの薄い外壁パネルにおいても必要な止水性能が確保される目地構造およびその施工方法に関する。
【背景技術】
【０００２】
従来より、プレキャスト・コンクリート板（以下、ＰＣ板という）を用いた外壁やカーテンウォールを用いた外壁においては、図４に示すように、ＰＣ板などの外壁面材１００の厚みを利用して水平目地部１２０に立ち上がり１０１を設け、水の重力差による流入を防止したり、圧力差による水の浸入を防止したりすることがなされている。なお、図中の符号１２１はウィンドバリアを示し、符号１２２はレインバリアを示す。
【０００３】
また、外壁面材１００として窯業系サイディングや金属サイディングを用いそれらを現場にて配設する、いわゆる現場貼り工法においては、板厚が薄くしかも小サイズの外壁面材を貼り付けるため、水平目地１２０が多くなりしかも図４に示すような目地構造となし得ないところから、図５に示すように、２次止水材として外壁面材１００の背後つまり室内側に透湿防水シート１３０を設けることが一般的になされている。
【０００４】
しかるに、施工性の観点からＰＣ板などの外壁面材１００の軽量化が求められ、外壁面材１００の薄肉化が進められている。しかしながら、図４に示すような構造においては、外壁面材の厚みを６０ｍｍ程度以下にすることはできず、軽量化の要請に充分に応えることができないという問題がある。
【０００５】
また、図５に示すような透湿防水シート１３０により２次止水をなす工法においては、透湿防水シート１３０が存在することによる施工手順の制約や作業方向の制約が生じ、生産性や施工性の低下を招来しているという問題がある。
【発明の開示】
【発明が解決しようとする課題】
【０００６】
本発明はかかる従来技術の課題に鑑みなされたものであって、外壁面材の軽量化の要請に充分応えることができ、しかも、透湿防水シートによる２次止水も不要となし得る目地構造およびその施工方法を提供することを目的としている。
【課題を解決するための手段】
【０００７】
本発明の目地構造は、下側外壁面材と上側外壁面材との隙間における目地構造であって、１次止水部材と２次止水部材とを備え、前記１次止水部材は、上側外壁面材下端に装着される装着部と、下側外壁面材上端に当接して止水をなす止水片を有する止水本体とを備え、前記２次止水部材は、下側外壁面材と下側パネルフレームとの間に装着される装着部と、下側外壁面材上端に載置される支持片と、上側外壁面材背面と当接して止水をなす止水片を有する止水本体とを備えてなることを特長とする。
【０００８】
本発明の目地構造においては、２次止水部材の止水本体は、装着部から起立状に設けられた基片と、該基片の先端部から一体的に湾曲形成された止水片とを有し、前記止水片先端と、前記基片との間に隙間が設けられてなるのが好ましい。
【０００９】
また、本発明の目地構造においては、上側外壁面材が下端に１次止水部材を装着する装着部材を備え、該装着部材が２次止水部材の止水本体と協働して止水をなす止水片を有してなるのが好ましい。
【００１０】
さらに、本発明の目地構造においては、１次止水部材の上側外壁面材下端と接触する箇所がシール剤によりシールされていたり、２次止水部材の下側外壁面材上端と接触する箇所がシール剤によりシールされていたりするのが好ましい。
【００１１】
一方、本発明の目地構造の施工方法は、１次止水部材と２次止水部材とを備えてなる目地構造の施工方法であって、前記１次止水部材を上側外壁面材下端に装着する手順と、  前記２次止水部材を下側外壁面材上端と下側パネルフレームとの隙間に装着する手順と、  前記１次止水部材が装着された上側外壁面材を取り付ける手順とを含んでいることを特徴とする。
【００１２】
本発明の目地構造の施工方法においては、１次止水部材の上側外壁面材下端と接触する箇所をシール剤によりシールする手順が付加されていたり、２次止水部材の下側外壁面材上端と接触する箇所をシール剤によりシールする手順が付加されていたりするのが好ましい。
【発明の効果】
【００１３】
本発明によれば、透湿防水シートを不要とし、しかも外壁面材の薄肉化の要請に応えながら所望の止水性能が確保されるという優れた効果が得られる。
【発明を実施するための最良の形態】
【００１４】
以下、添付図面を参照しながら本発明を実施形態に基づいて説明するが、本発明はかかる実施形態のみに限定されるものではない。
【００１５】
実施形態１
本発明の実施形態１に係る目地構造を図１および図２に示す。
【００１６】
目地構造Ｋは、図１および図２に示すように、下側外壁面材（下側パネル）１の上端１ａと上側外壁面材（上側パネル）２の下端２ａとの間、いわゆる水平目地３に配設された１次止水部材１０と、外壁面材１，２の背面１ｂ，２ｂとパネルフレーム４，５との間に配設された２次止水部材２０とを備えてなるものとされる。
【００１７】
１次止水部材１０は軟質合成樹脂（例えばシリコンゴム）からなるもので、上側外壁面材２の下端２ａ背面側角部に配設された、装着部材３０に溝状に所定長さで設けられた嵌装穴３１に密着状態で嵌装される嵌装部（装着部）１１と、嵌装部１１下端に一体的に形成された止水本体１２とを備えてなるものとされる。ここで、前記所定長さは、１次止水部材１０端がパネルフレーム５のフレーム形成材５ａ内面に対応する位置となるよう調整される（図２参照）。
【００１８】
止水本体１２は、上側外壁面材２の下端２ａに沿うよう嵌装部１１下端から外方に延伸形成された基片１３と、基片１３から下側外壁面材１の上端１ａに当接するよう一体的に形成された所要数（図示例では２枚）の止水片１４とを備えてなるものとされる。基片１３の上側外壁面材２の下端２ａとの接触面はシール剤によりシールされその箇所における止水性能が確保されかつその脱落防止が図られている。
【００１９】
２次止水部材２０は軟質合成樹脂（例えばシリコンゴム）からなるもので、下側外壁面材１の背面１ｂ上端部と下側パネルフレーム４の上側フレーム材６との間に密着状態で嵌装される嵌装部（装着部）２１と、嵌装部２１上端の両側から水平に延伸形成された支持片２２，２３と、嵌装部２１上端のパネルフレーム４，５側から垂設された止水本体２４とを備えてなるものとされる。嵌装部２１の嵌入深さは、パネルフレーム側支持片２３が、下側パネルフレーム４の上側フレーム材６と上側パネルフレーム５の下側フレーム材７との間で移動できる範囲に調整されている。ここで、２次止水部材２０の長さは１次止水部材１０の長さと同一とされる。
【００２０】
支持片２２，２３は、下側外壁面材１の上端１ａおよび下側パネルフレーム４の上側フレーム材６上面にそれぞれ載置されて２次止水部材２０の高さ方向の位置決めをなすものとされる。外壁面材側支持片２２の下側外壁面材１の上端１ａとの接触面はシール剤によりシールされその箇所における止水性能が確保されかつその脱落防止が図られている。なお、図示例では、外壁面材側支持片２２と、パネルフレーム側支持片２３とのレベルは同一とされているが、両側の支持片２２，２３のレベルは必ずしも同一とされる必要はなく、下側外壁面材１の上端１ａのレベルおよび下側パネルフレーム４の上側フレーム材６上面のレベルに応じて適宜調整される。また、パネルフレーム側支持片２３は、必ずしも設けられる必要はない。
【００２１】
止水本体２４は、上側パネルフレーム５の下側フレーム材７側面に沿うよう嵌装部２１上端から所定高さまで起立状に延伸形成された基片２５と、基片２５の上端から一体的に上側外壁面材２の背面２ｂに当接するよう下方に向けて湾曲形成された止水片２６とを備えてなるものとされる。ここで、止水片２６は、その先端が対向する基片２５との間で隙間が形成されるようそのサイズが調整されている。この隙間を設けることにより、基片２５と止水片２６とで囲まれる空間２７の圧力が風圧などによりその外側２８つまり室内の圧力より高くなると、止水片２６を上側外壁面材２の背面２ｂに押し付ける力が発生して止水片２６が背面２ｂに密着し、止水性能が向上して確実な止水がなされる。
【００２２】
次に、かかる構成とされた目地構造Ｋの施工について説明する。
【００２３】
手順１：上側外壁面材２の下端２ａの装着部材３０の嵌装穴３１に１次止水部材１０の嵌装部１１を嵌装して１次止水部材１０を上側外壁面材２の下端２ａに装着し、所定のシールをなす。なお、この装着は工場にて行ってもよい。
【００２４】
手順２：下側外壁面材１を定法により下側パネルフレーム４に取り付ける。
【００２５】
手順３：２次止水部材２０の止水本体２４の基片２５を上側パネルフレーム５の下側フレーム材７側面に沿わせながら、下側外壁面材１と下側パネルフレーム４との隙間にその嵌装部２１を嵌装し、所定のシールをする。この場合、嵌装部２１の嵌入深さは前記のごとくされているので、パネルフレーム側支持片２３により２次止水部材２０の取付作業に支障を生ずることはない。
【００２６】
手順４：上側外壁面材２を定法により上側パネルフレーム５に取り付ける。これにより、目地構造Ｋが完成する。
【００２７】
このように、この実施形態１においては、上側外壁面材２の下端２ａに装着された１次止水部材１０と、外壁面材１，２とパネルフレーム４，５との間に配設された２次止水部材２０との協働により目地の止水をなしているので、外壁面材１，２の厚みが薄くても所望の止水性能が得られる。
【００２８】
また、１次止水部材１０の上側外壁面材２への装着は、上側外壁面材２に設けられた装着部材３０の嵌装孔３１に嵌装部１１を嵌装するだけでなし得、また２次止水部材２０の装着は、下側外壁面材１と下側パネルフレーム４との隙間に嵌装部２１を嵌装するだけでなし得、しかも上側外壁面材２を上側パネルフレームに取り付けるだけで目地構造Ｋが形成されるので、施工性がよい。
【００２９】
さらに、透湿防水シートを不要とできるので、透湿防水シートによる制約がなくなり施工性が向上するとともに、工期も短縮される。
【００３０】
実施形態２
本発明の実施形態２に係る目地構造Ｋ１を図３に示す。
【００３１】
実施形態２は実施形態１を改変してなるものであって、図３に示すように、装着部材３０の上側パネルフレーム５側の角部から止水片３２を、２次止水部材２０の基片２５と止水片２６との隙間に入り込ませ、その先端が基片２５に当接するように延伸形成してなるものとされる。つまり、装着部材３０を３次止水部材としてなるものとされる。
【００３２】
なお、実施形態２のその余の構成および作用・効果は実施形態１と同様とされているので、その詳細な説明は省略する。
【００３３】
このように、実施形態２においては、装着部材３０に止水片３２を形成し、その止水片３２と２次止水部材２０の基片２５との協働により３次止水するようにしているので、工数を増加させることなく実施形態１に比して止水性能が向上する。
【産業上の利用可能性】
【００３４】
本発明は、外壁面材の薄肉化が要求される外壁に適用できる。
【図面の簡単な説明】
【００３５】
【図１】本発明の実施形態１の目地構造が適用されてなる外壁の鉛直断面図である。
【図２】同水平断面図である。
【図３】本発明の実施形態２の目地構造の概略図である。
【図４】従来の目地構造の一例の概略図である。
【図５】従来の目地構造の他の例の概略図である。
【符号の説明】
【００３６】
１      下側外壁面材、下側パネル
１ａ    上端
１ｂ    背面
２      上側外壁面材、上側パネル
２ａ    下端
２ｂ    背面
３      水平目地
４      下側パネルフレーム
５      上側パネルフレーム
１０      １次止水部材
１１      嵌装部（装着部）
１２      止水本体
１３      基片
１４      止水片
２０      ２次止水部材
２１      嵌装部（装着部）
２２      支持片（外壁面材側支持片）
２３      支持片（パネルフレーム側支持片）
２４      止水本体
２５      基片
２６      止水片
３０      装着部材
３１      嵌装穴
３２      止水片
【図１】
2006233461.tif 000003
【図２】
2006233461.tif 000004
【図３】
2006233461.tif 000005
【図４】
2006233461.tif 000006
【図５】
2006233461.tif 000007